(57)【特許請求の範囲】
【請求項１】
複数の地域のそれぞれに対応する印刷データを比較し、前記複数の地域について同一でない印刷部分を特定し、
特定した前記印刷部分を含む印刷データを第１の印刷方式に基づいて印刷する場合において、２以上の印刷ラインに対して前記複数の地域の印刷を配分するバリエーションごとに、印刷コストと印刷時間との少なくともいずれかに関する評価を行うとともに、特定した前記印刷部分を除く部分について前記第１の印刷方式に基づいて印刷し、かつ、特定した前記印刷部分を第２の印刷方式に基づいて印刷する場合において、前記２以上の印刷ラインに対して前記複数の地域の印刷を配分するバリエーションごとに、印刷コストと印刷時間との少なくともいずれかに関する評価を行い、評価結果を出力する、
処理をコンピュータが実行することを特徴とする印刷方式評価方法。
【請求項２】
前記第１の印刷方式は刷版印刷方式であり、前記第２の印刷方式はインクジェット印刷方式である、
ことを特徴とする請求項１に記載の印刷方式評価方法。
【請求項３】
前記第１の印刷方式の印刷コストに関する評価は、刷版の作成費用及び刷版の交換に伴う試し刷り費用に基づいて印刷コストを算出するアルゴリズムに基づいて行い、
前記第１の印刷方式の印刷時間に関する評価は、刷版の交換及び試し刷りに要する時間及び印刷物の配送時間に基づいて印刷時間を算出するアルゴリズムに基づいて行う、
ことを特徴とする請求項２に記載の印刷方式評価方法。
【請求項４】
前記第２の印刷方式の印刷コストに関する評価は、印刷面積に基づいて印刷コストを算出するアルゴリズムに基づいて行い、
前記第２の印刷方式の印刷時間に関する評価は、印刷面積及び印刷物の配送時間に基づいて印刷時間を算出するアルゴリズムに基づいて行う、
ことを特徴とする請求項２又は３に記載の印刷方式評価方法。
【請求項５】
前記印刷データは、新聞の１面又は新聞の見開きごとのデータであることを特徴とする請求項１〜４のいずれか一項に記載の印刷方式評価方法。
【請求項６】
複数の地域のそれぞれに対応する印刷データを比較し、前記複数の地域について同一でない印刷部分を特定し、
特定した前記印刷部分を含む印刷データを第１の印刷方式に基づいて印刷する場合において、２以上の印刷ラインに対して前記複数の地域の印刷を配分するバリエーションごとに、印刷コストと印刷時間との少なくともいずれかに関する評価を行うとともに、特定した前記印刷部分を除く部分について前記第１の印刷方式に基づいて印刷し、かつ、特定した前記印刷部分を第２の印刷方式に基づいて印刷する場合において、前記２以上の印刷ラインに対して前記複数の地域の印刷を配分するバリエーションごとに、印刷コストと印刷時間との少なくともいずれかに関する評価を行い、評価結果を出力する、
処理をコンピュータに実行させることを特徴とする印刷方式評価プログラム。
【請求項７】
複数の地域のそれぞれに対応する印刷データを比較し、前記複数の地域について同一でない印刷部分を特定する特定部と、
特定した前記印刷部分を含む印刷データを第１の印刷方式に基づいて印刷する場合において、２以上の印刷ラインに対して前記複数の地域の印刷を配分するバリエーションごとに、印刷コストと印刷時間との少なくともいずれかに関する評価を行うとともに、特定した前記印刷部分を除く部分について前記第１の印刷方式に基づいて印刷し、かつ、特定した前記印刷部分を第２の印刷方式に基づいて印刷する場合において、前記２以上の印刷ラインに対して前記複数の地域の印刷を配分するバリエーションごとに、印刷コストと印刷時間との少なくともいずれかに関する評価を行い、評価結果を出力する処理部と、
を備える情報処理装置。
【発明の詳細な説明】
【技術分野】
【０００１】
本発明は、印刷方式評価方法、印刷方式評価プログラム、及び情報処理装置に関する。
【背景技術】
【０００２】
従来、新聞等を印刷する印刷工場では、大量の枚数を高速で印刷することが可能な輪転機によって新聞を印刷している。これに対し、最近では、輪転機等による印刷とインクジェット印刷とを併用したハイブリッド印刷装置についても提案されている（例えば、特許文献１〜３等参照）。
【先行技術文献】
【特許文献】
【０００３】
【特許文献１】特開２００２−３６１８３３号公報
【特許文献２】特開２００６−８８６７０号公報
【特許文献３】特開２００５−２３１１４３号公報
【発明の概要】
【発明が解決しようとする課題】
【０００４】
新聞等を輪転機で印刷する場合、地域に配布する紙面に掲載される広告の一部がわずかに異なるだけでも、刷版（凸版、平版、又は凹版）を新たに作成する必要がある。このように刷版を新たに作成する場合、刷版の作成時間や作成コストのほか、刷版の交換時間、インク安定化のための試し刷りに要する時間や試し刷りに用いる紙のコスト（損紙費用）が発生する。
【０００５】
一方、インクジェット印刷は、刷版を作る必要は無いが、ページ全体を印刷するには印刷速度が遅く、インクが高価である。
【０００６】
また、ハイブリッド印刷を行ったとしても、印刷部数や印刷内容、印刷設備などの印刷条件によっては、輪転機のみを用いて印刷する場合やインクジェット印刷のみの場合に比べ、印刷コストや印刷時間に関するメリットがない場合もある。このため、印刷方法を決定する上では、印刷条件に応じた各印刷方法の評価を行うことが重要である。
【０００７】
１つの側面では、本発明は、同一でない印刷部分を含む複数の印刷データを印刷する方式を適切に評価することが可能な印刷方式評価方法、印刷方式評価プログラム、及び情報処理装置を提供することを目的とする。
【課題を解決するための手段】
【０００８】
一つの態様では、印刷方式評価方法は、複数の地域のそれぞれに対応する印刷データを比較し、前記複数の地域について同一でない印刷部分を特定し、特定した前記印刷部分を含む印刷データを第１の印刷方式に基づいて印刷する場合において、２以上の印刷ラインに対して前記複数の地域の印刷を配分するバリエーションごとに、印刷コストと印刷時間との少なくともいずれかに関する評価を行うとともに、特定した前記印刷部分を除く部分について前記第１の印刷方式に基づいて印刷し、かつ、特定した前記印刷部分を第２の印刷方式に基づいて印刷する場合において、前記２以上の印刷ラインに対して前記複数の地域の印刷を配分するバリエーションごとに、印刷コスト及び／又は印刷時間に関する評価を行い、評価結果を出力する、処理をコンピュータが実行する印刷方式評価方法である。
【発明の効果】
【０００９】
一つの側面では、同一でない印刷部分を含む複数の印刷データを印刷する方式を適切に評価することができる。
【図面の簡単な説明】
【００１０】
【図１】一実施形態に係る印刷システムの構成を概略的に示す図である。
【図２】ハイブリッド印刷管理システムのハードウェア構成図である。
【図３】新聞社内のシステムの機能ブロック図である。
【図４】掲載情報ＤＢの一例を示す図である。
【図５】広告集約後の掲載情報ＤＢの一例を示す図である。
【図６】図６（ａ）は、印刷機情報ＤＢの一例を示す図であり、図６（ｂ）は、発行部数ＤＢの一例を示す図である。
【図７】図７（ａ）は、紙面データ受付処理を示すフローチャートであり、図７（ｂ）は、広告集約処理を示すフローチャートである。
【図８】図８（ａ）は、部数情報取得処理を示すフローチャートであり、図８（ｂ）は、画像差分抽出処理を示すフローチャートである。
【図９】紙面データの一例を示す図である。
【図１０】図１０（ａ），図１０（ｂ）は、印刷イメージの一例を示す図である。
【図１１】仮の輪転機用イメージの一例を示す図である。
【図１２】図１２（ａ）、図１２（ｂ）は、仮のインクジェット用イメージの一例を示す図である。
【図１３】図１３（ａ）、図１３（ｂ）は、インクジェット用イメージの一例を示す図であり、図１３（ｃ）は、輪転機用イメージの一例を示す図である。
【図１４】ハイブリッド印刷情報作成処理を示すフローチャートである。
【図１５】図１４のステップＳ８０の具体的処理を示すフローチャートである。
【図１６】印刷選定基準表（ハイブリッド印刷）の一例を示す図である。
【図１７】図１７（ａ）は、印刷選定基準表（輪転機のみ）の一例を示す図であり、図１７（ｂ）は、印刷選定基準表（インクジェットのみ）の一例を示す図である。
【図１８】図１８（ａ）は、輪転機の印刷時間の算出方法を説明するための図であり、図１８（ｂ）は、輪転機の印刷金額の算出方法を説明するための図である。
【図１９】図１９（ａ）は、インクジェットの印刷時間の算出方法を説明するための図であり、図１９（ｂ）は、インクジェットの印刷金額の算出方法を説明するための図である。
【図２０】図１４のステップＳ８６の具体的処理を示すフローチャートである。
【図２１】図１４のステップＳ８８の具体的処理を示すフローチャートである。
【図２２】比較テーブル（ハイブリッド印刷）の一例を示す図（その１）である。
【図２３】比較テーブル（ハイブリッド印刷）の一例を示す図（その２）である。
【図２４】比較テーブル（輪転機のみ）の一例を示す図（その１）である。
【図２５】比較テーブル（輪転機のみ）の一例を示す図（その２）である。
【図２６】比較テーブル（インクジェットのみ）の一例を示す図（その１）である。
【図２７】比較テーブル（インクジェットのみ）の一例を示す図（その２）である。
【図２８】図２８（ａ）は、ハイブリッド印刷の合計金額（刷版１プレートの場合）を示す図であり、図２８（ｂ）は、ハイブリッド印刷の合計金額（刷版３プレートの場合）を示す図である。
【図２９】図２９（ａ）は、ハイブリッド印刷の合計時間（刷版１プレートの場合）を示す図であり、図２９（ｂ）は、ハイブリッド印刷の合計時間（刷版３プレートの場合）を示す図である。
【図３０】図３０（ａ）は、ＣＴＰ連携処理を示すフローチャートであり、図３０（ｂ）は、インクジェット連携処理を示すフローチャートである。
【図３１】図３０（ａ）、図３０（ｂ）の処理を説明するための図である。
【図３２】変形例にかかる比較テーブルを示す図（その１）である。
【図３３】変形例にかかる比較テーブルを示す図（その２）である。
【発明を実施するための形態】
【００１１】
以下、印刷システムの一実施形態について、図１〜図３１に基づいて詳細に説明する。
【００１２】
図１には、本実施形態に係る印刷システム５００の構成が概略的に示されている。印刷システム５００は、専用回線などのネットワーク８０を介して接続された印刷工場２００内のシステムと新聞社１００内のシステムとが連携するシステムである。印刷システム５００によれば、新聞社１００内において新聞の印刷データが製作されると、新聞社１００から印刷工場２００に印刷データが送信される。そして、印刷工場２００において印刷データに基づく印刷が行われると、印刷された印刷物（新聞）が各地域の新聞販売店に配送されるようになっている。
【００１３】
（印刷工場２００内のシステム）
印刷工場２００内のシステムは、図１に示すように、ＣＴＰ（Computer to Plate）１１０と、輪転機１２０と、インクジェット印刷機１３０と、発送システム１４０と、を備える。
【００１４】
ＣＴＰ１１０は、新聞社１００から送信されてきた印刷データに基づいて、刷版（印刷用プレートとも呼ばれる）を作成するシステムである。ＣＴＰ１１０は、例えば、印刷データに基づいて、印刷用プレートにレーザを照射して文字や画像を焼き付ける。ＣＴＰ１１０において作成された刷版は、輪転機１２０に送られ、輪転機１２０において利用される。
【００１５】
輪転機１２０は、刷版を巻きつけた円筒と、該円筒を圧しながら回転する円筒との間に巻き取り印刷紙を通して、連続的に新聞の紙面データを印刷する印刷機である。輪転機１２０は、同一の印刷物を大量に高速で印刷することができる。ただし、刷版を変更する場合には、ＣＴＰ１１０での作成コストや、刷版変更後の試し刷りに要する紙のコスト（損紙費用）がかかるとともに、刷版の作成や交換、試し刷りに時間（リードタイムと呼ばれる）がかかる。
【００１６】
インクジェット印刷機１３０は、インクジェット方式により、新聞の紙面データを印刷紙に印刷する。インクジェット印刷機１３０は、輪転機１２０に比べ、１枚あたりの印刷コストが高く、印刷時間が長い。
【００１７】
なお、本実施形態の印刷工場２００では、新聞社１００側からの指示に基づいて、輪転機１２０とインクジェット印刷機１３０とを用いたハイブリッド印刷が行われることがある。このハイブリッド印刷では、印刷工場２００において印刷する複数の地域の紙面に同一でない印刷部分が存在する場合に、同一の印刷部分を輪転機１２０で印刷し、同一でない印刷部分をインクジェット印刷機１３０で印刷する。なお、新聞社１００からの指示は、輪転機１２０のみを用いた印刷の指示や、インクジェット印刷機１３０のみを用いた印刷の指示の場合もある。このような指示があった場合には、輪転機１２０及びインクジェット印刷機１３０が指示に基づいて紙面を一括印刷する。
【００１８】
発送システム１４０は、輪転機１２０及び／又はインクジェット印刷機１３０で印刷された新聞を複数の地域の各販売店に発送する準備を行うシステムである。発送システム１４０は、例えば、販売店に発送する分の新聞をまとめ、フィルムで梱包し、結束した後、配送用のトラックの荷台に搬入する。
【００１９】
（新聞社１００内のシステム）
新聞社１００内のシステムは、図１に示すように、新聞製作システム１０と、発行部数管理システム３０と、情報処理装置としてのハイブリッド印刷管理システム２０と、を備える。
【００２０】
新聞製作システム１０は、図３に示すように、組版出力装置１２と、紙面管理装置１４と、広告管理装置１６と、を有する。
【００２１】
組版出力装置１２は、ＰＣ（Personal Computer）などの情報処理装置を含み、紙面ＤＢ５２を有する。紙面ＤＢ５２に格納される紙面データには、紙面に掲載される記事データのほか、発行日や版コード、地域コードなども含まれる。
【００２２】
紙面管理装置１４は、ＰＣなどの情報処理装置を含み、ＣＰＵがプログラムを実行することにより紙面管理部５４として機能する。紙面管理部５４は、面建てＤＢ５６を用いて、新聞紙面のどのページ（面）にどのジャンルの記事を掲載するかの情報や、各ページの広告の大きさや配置に関する情報などを管理する。
【００２３】
広告管理装置１６は、ＰＣなどの情報処理装置を含み、ＣＰＵがプログラムを実行することにより、申込み管理部６２、広告割付部５８、及び集版部６６として機能する。なお、図３には、広告管理装置１６が保持する広告管理ＤＢ６０と、広告原稿ＤＢ６４と、広告画像ＤＢ６８についても図示されている。
【００２４】
申込み管理部６２は、新聞への広告掲載を希望する者から広告掲載の申込みがあった場合に、掲載する広告の大きさ等の情報を広告管理ＤＢ６０に格納する。また、申込み管理部６２は、広告の画像データを広告原稿ＤＢ６４に格納する。
【００２５】
広告割付部５８は、面建てＤＢ５６に格納されている紙面上の広告掲載が可能な領域（広告掲載領域）の大きさや位置情報を取得し、どの広告をどの位置に配置するかの情報を広告管理ＤＢ６０に格納する。
【００２６】
集版部６６は、広告管理ＤＢ６０において複数の広告を１つの広告掲載領域内に配置する場合、すなわち１つの広告掲載領域を異なる広告掲載希望者でシェアする場合、当該複数の広告を１つの広告データとして集約する。集版部６６は、集約した広告データを広告画像ＤＢ６８に格納する。なお、集約しない広告データについては、集版部６６は、広告原稿ＤＢ６４から広告画像ＤＢ６８にそのまま複写する。
【００２７】
図１に戻り、発行部数管理システム３０は、各地域において発行する新聞の部数を管理する。発行部数の情報は、新聞社の担当者等により入力される。
【００２８】
ハイブリッド印刷管理システム２０は、印刷工場２００においてどのような印刷方式で印刷を行うのが適切かを評価し、評価結果に基づいて、印刷工場２００に対して印刷指示を出すシステムである。
【００２９】
ハイブリッド印刷管理システム２０は、情報処理装置により実現され、図２に示すようなハードウェア構成を有する。図２に示すように、ハイブリッド印刷管理システム２０は、ＣＰＵ（Central Processing Unit）９０、ＲＯＭ（Read Only Memory）９２、ＲＡＭ（Random Access Memory）９４、記憶部（ここではＨＤＤ（Hard Disk Drive））９６、ネットワークインタフェース９７、及び可搬型記憶媒体用ドライブ９９等を備える。これらハイブリッド印刷管理システム２０の構成各部は、バス９８に接続されている。ＣＰＵ９０が、ＲＯＭ９２あるいはＨＤＤ９６に格納されているプログラム（印刷方式評価プログラムを含む）、或いは可搬型記憶媒体用ドライブ９９が可搬型記憶媒体９１から読み取ったプログラム（印刷方式評価プログラムを含む）を実行することにより、ハイブリッド印刷管理システム２０は、図３に示す各部として機能する。
【００３０】
具体的には、ハイブリッド印刷管理システム２０は、ＣＰＵがプログラムを実行することで、紙面データ受付部２０２、掲載情報受付部２０６、特定部としての画像差分抽出部２０４、処理部としてのハイブリッド印刷情報作成部２０８、部数情報取得部２１０、ＣＴＰ連携部２１２、インクジェット連携部２１４、として機能する。なお、図３には、ハイブリッド印刷管理システム２０が保持する、掲載情報ＤＢ２３０、差分画像ＤＢ２３２、印刷機情報ＤＢ２３４、及び発行部数ＤＢ２３６も図示されている。
【００３１】
紙面データ受付部２０２は、紙面ＤＢ５２から新聞紙面の紙面データを取得する。紙面データ受付部２０２が取得した紙面データは、画像差分抽出部２０４に送信される。
【００３２】
掲載情報受付部２０６は、面建てＤＢ５６、広告管理ＤＢ６０、広告画像ＤＢ６８から、各種情報を取得し、掲載情報ＤＢ２３０に格納する。
【００３３】
ここで、掲載情報ＤＢ２３０のデータ構造について、具体的に説明する。掲載情報ＤＢ２３０は、掲載広告に関する情報を格納するデータベースである。掲載情報ＤＢ２３０は、図４に示すように、「申込ＩＤ」、「タイトル」、「地域」、「掲載日」、「掲載版数」、「掲載位置」、「広告データ」、「差分データ」の各フィールドを有する。
【００３４】
「申込ＩＤ」のフィールドには、広告掲載の申込みに対して割り振られる識別ＩＤが格納される。「タイトル」のフィールドには、広告に付与されたタイトルの情報が格納される。「地域」のフィールドには、どの地域で発行される新聞に広告が掲載されるかの情報が格納される。「掲載日」のフィールドには、広告の掲載年月日が格納される。「掲載版数」のフィールドには、掲載される版の情報が格納される。「掲載位置」のフィールドには、広告を掲載する領域（広告掲載領域）の掲載面（ページ）の情報及び位置が格納される。「広告データ」のフィールドには、広告の画像データのデータ名が格納される。「差分データ」のフィールドには、広告データがほぼ同一であるが一部が他と異なる場合に、異なる部分のデータ（差分データ）のデータ名が格納される。
【００３５】
なお、掲載情報ＤＢ２３０において、広告データと差分データとが一致するデータ、すなわち、広告データの全てが共通するデータが存在する場合がある。このような場合には、掲載情報受付部２０６は、共通するデータを集約する。なお、この集約処理については、後に詳述する。
【００３６】
図３に戻り、画像差分抽出部２０４は、紙面データ受付部２０２が取得した紙面データや、掲載情報ＤＢ２３０に格納されている情報を参照し、既存の画像比較ツールにより、各地域で発行される新聞紙面に差分があるか否かを判定する。そして、画像差分抽出部２０４は、差分に基づいて、ハイブリッド印刷において輪転機で用いる輪転機用イメージと、インクジェット印刷機で用いるインクジェット用イメージとを作成する。画像差分抽出部２０４は、輪転機用イメージとインクジェット用イメージを差分画像ＤＢ２３２に格納する。
【００３７】
ハイブリッド印刷情報作成部２０８は、印刷機情報ＤＢ２３４、発行部数ＤＢ２３６、掲載情報ＤＢ２３０、差分画像ＤＢ２３２のそれぞれに格納されている情報に基づいて、印刷工場２００において新聞を印刷する方法について決定する。なお、ハイブリッド印刷情報作成部２０８は、新聞を印刷する方法として、どの地域の新聞をどの印刷工場のどの印刷ラインでどのような印刷方式（ハイブリッド、輪転機のみ、インクジェットのみ）で印刷すべきかを評価する。そして、ハイブリッド印刷情報作成部２０８は、評価結果をＣＴＰ連携部２１２及び／又はインクジェット連携部２１４に出力する。
【００３８】
ここで、印刷機情報ＤＢ２３４と、発行部数ＤＢ２３６のデータ構造について図６（ａ）、図６（ｂ）に基づいて説明する。
【００３９】
印刷機情報ＤＢ２３４は、各印刷工場に設置されている印刷機の情報を格納するデータベースである。具体的には、印刷機情報ＤＢ２３４は、図６（ａ）に示すように、「印刷工場」、「印刷ライン」、「輪転機リードタイム（分）」、「輪転機印刷速度（枚／分）」、「刷版作成費用（円）」、「損紙費用（円）」、「輪転機印刷単価（円／枚）」、「インクジェット印刷速度（枚／分）」、「インクジェット印刷単価（円／枚）」の各フィールドを有する。
【００４０】
「印刷工場」及び「印刷ライン」のフィールドには、印刷工場の名称及び印刷ラインの番号が格納される。「輪転機リードタイム（分）」のフィールドには、輪転機１２０において刷版を変更した場合において、変更後の刷版を用いた印刷を開始するまでに要する時間（刷版作成及び交換時間、損紙印刷（試し刷り）時間）が格納される。「輪転機印刷速度（枚／分）」のフィールドには、輪転機１２０の１分間における印刷枚数、すなわち印刷速度が格納される。「刷版作成費用（円）」のフィールドには、刷版を新たに作成した場合に必要な費用が格納され、「損紙費用（円）」のフィールドには、刷版を交換した場合に、試し刷りに必要な紙等のコストが格納される。「輪転機印刷単価（円／枚）」のフィールドには、輪転機１２０を用いた場合に１枚の印刷に要するコストが格納される。また、「インクジェット印刷速度（枚／分）」のフィールドには、インクジェット印刷機１３０の１分間における印刷枚数、すなわち印刷速度が格納される。なお、インクジェット印刷速度は、予め定められた面積（基準面積と呼ぶ）を印刷する場合の速度を意味する。「インクジェット印刷単価（円／枚）」のフィールドには、インクジェット印刷機１３０を用いた場合に１枚の印刷に要するコストが格納される。なお、インクジェット印刷単価は、基準面積を印刷する場合の単価を意味する。例えば、印刷工場「千葉西」の場合、２つの印刷ラインそれぞれに対して、輪転機リードタイムや印刷速度、印刷単価などが定義されている。
【００４１】
発行部数ＤＢ２３６は、部数情報取得部２１０が発行部数管理システム３０から取得した複数の地域で発行する新聞の部数を格納するデータベースであり、図６（ｂ）に示すようなデータ構造を有する。図６（ｂ）に示すように、発行部数ＤＢ２３６は、「地域」、「発行部数」、「印刷工場」、「配送時間（分）」の各フィールドを有する。「地域」のフィールドには、同一内容（同一記事、同一広告）の新聞が発行される範囲を示す地域の名称が格納される。「発行部数」のフィールドには、各地域で発行する新聞の部数が格納される。「印刷工場」のフィールドには、各地域の新聞を印刷する印刷工場の名称が格納される。「配送時間（分）」のフィールドには、印刷した新聞が印刷工場から各地域の販売店まで配送されるのに要する時間が格納される。
【００４２】
ＣＴＰ連携部２１２及びインクジェット連携部２１４は、ハイブリッド印刷情報作成部２０８において決定された方法で印刷が実行されるように、ＣＴＰ１１０及びインクジェット印刷機１３０に対して印刷指示を出す。
【００４３】
（ハイブリッド印刷管理システム２０の処理）
以下、ハイブリッド印刷管理システム２０の処理について、詳細に説明する。なお、ハイブリッド印刷管理システム２０の処理としては、紙面データ受付部２０２による「（１）紙面データ受付処理」、掲載情報受付部２０６による「（２）広告集約処理」、部数情報取得部２１０による「（３）部数情報取得処理」がある。また、画像差分抽出部２０４による「（４）画像差分抽出処理」、ハイブリッド印刷情報作成部２０８による「（５）ハイブリッド印刷情報作成処理」、ＣＴＰ連携部２１２による「（６）ＣＴＰ連携処理」、インクジェット連携部２１４による「（７）インクジェット連携処理」がある。以下、各処理について説明する。
【００４４】
＜（１）紙面データ受付処理＞
図７（ａ）には、紙面データ受付部２０２による紙面データ受付処理がフローチャートにて示されている。図７（ａ）の処理は、例えば、新聞製作システム１０において紙面データが製作され、印刷工場２００に対して印刷を指示するタイミングとなった段階で実行される処理である。
【００４５】
図７（ａ）のステップＳ１０では、紙面データ受付部２０２は、新聞製作システム１０から紙面データを取り込む。この場合、紙面データ受付部２０２は、取り込んだ紙面データを画像差分抽出部２０４に送信する。ステップＳ１０の処理が終了すると、図７（ａ）の紙面データ受付処理が終了する。
【００４６】
＜（２）広告集約処理＞
次に、掲載情報受付部２０６による広告集約処理について説明する。本処理も、図７（ａ）の処理と同様、例えば、新聞製作システム１０において紙面データが製作され、印刷工場２００に対して印刷を指示するタイミングにおいて実行される処理である。
【００４７】
図７（ｂ）の処理では、まず、ステップＳ２０において、掲載情報受付部２０６が、面建てＤＢ５６から広告掲載領域の位置の情報を取り込む。次いで、ステップＳ２２では、掲載情報受付部２０６が、広告画像ＤＢ６８から広告の画像データを取り込む。これらステップＳ２０、Ｓ２２で取り込んだ情報やデータは、掲載情報ＤＢ２３０に格納される。
【００４８】
次いで、ステップＳ２４では、掲載情報受付部２０６が、既存の画像比較ツールを使い、同一の広告掲載領域の広告の画像データの差分データを識別する。なお、識別した結果、同一のデータは図４の広告データのフィールドに格納され、差分データは図４の差分データのフィールドに格納される。
【００４９】
次いで、ステップＳ２６では、掲載情報受付部２０６が、差分が一切ない広告を集約する。例えば、図７（ｂ）の処理前の掲載情報ＤＢ２３０が図４に示すようなデータ構造であったとする。この場合、図４の申込ＩＤ＝００１０，００１１，００１２，００１３の広告は同一の掲載領域に掲載される広告であり、広告データは「Ｔ社１.png」で一致している。そして、このうち、申込ＩＤ＝００１１と申込ＩＤ＝００１３は、差分データのデータ名が「Ｔ社支店電話東葛.png」と「Ｔ社支店電話埼玉東部.png」となっているが、そのデータの内容が一致していたとする。この場合、掲載情報受付部２０６は、図５において太線枠で示すように掲載情報ＤＢ２３０のデータを集約する。一方、差分データが同一であるが広告データが異なる場合や、広告データが同一であるが差分データが異なる場合には、掲載情報受付部２０６はデータを集約しないものとする。
【００５０】
以上のようにして、ステップＳ２６の処理が終了すると、図７（ｂ）の広告集約処理が終了する。なお、図７（ｂ）の処理が終了した後の処理においては、図５のように広告が集約された後の掲載情報ＤＢ２３０が用いられることになる。
【００５１】
＜（３）部数情報取得処理＞
次に、部数情報取得部２１０による部数情報取得処理について図８（ａ）に基づいて説明する。なお、図８（ａ）の処理は、１日に１回程度、あるいは発行部数が変更される度（例えば１ヶ月ごと）に実行される処理である。
【００５２】
図８（ａ）の処理では、ステップＳ３０において、部数情報取得部２１０が、発行部数管理システム３０から地域別の発行部数を取り込む。また、部数情報取得部２１０は、取り込んだ発行部数を発行部数ＤＢ２３６に格納する。以上により、図８（ａ）の部数情報取得処理が終了する。
【００５３】
＜（４）画像差分抽出処理＞
次に、画像差分抽出部２０４による画像差分抽出処理について、図８（ｂ）のフローチャートに沿って説明する。なお、図８（ｂ）の処理は、図７（ａ）、図７（ｂ）と同様のタイミングで実行されるものとする。
【００５４】
図８（ｂ）の処理では、まず、ステップＳ４０において、画像差分抽出部２０４が、紙面データ受付部２０２から紙面データの取り込みを行う。例えば、紙面データは、図９に示すような広告掲載領域に広告が掲載されていない紙面データである。次いで、ステップＳ４２では、画像差分抽出部２０４が、掲載情報受付部２０６から広告の画像データの取り込みを行う。
【００５５】
次いで、ステップＳ４４では、画像差分抽出部２０４が、掲載情報ＤＢ２３０から広告掲載領域の位置の取り込みを行う。
【００５６】
次いで、ステップＳ４６では、画像差分抽出部２０４が、仮の輪転機用イメージを作成する。一例として、図１０（ａ）、図１０（ｂ）に示すような印刷イメージ（印刷後の新聞のデータ）がある場合、画像差分抽出部２０４は、図１０（ａ）や図１０（ｂ）に示す印刷イメージのうち、差分部分である広告掲載領域と、右上に配置された「北版」や「南版」の文字の部分を空白とした、図１１に示すような仮の輪転機用イメージを作成する。なお、印刷イメージが３以上ある場合にも、上記と同様、画像差分抽出部２０４は、全ての印刷イメージに共通する部分のみを抽出して仮の輪転機用イメージを作成する。なお、図１０（ａ）、図１０（ｂ）では、四角で囲まれた「北版」と「南版」の文字部分全体が１つの差分部分として特定されたものとする。
【００５７】
次いで、ステップＳ４８では、画像差分抽出部２０４が、仮のインクジェット用イメージを作成する。この場合、画像差分抽出部２０４は、図１０（ａ）、図１０（ｂ）の印刷イメージのうち、図１１の仮の輪転機用イメージに含まれない部分を図１２（ａ）、図１２（ｂ）のように抽出し、仮のインクジェット用イメージとする。具体的には、画像差分抽出部２０４は、紙面データのうち、仮の輪転機用イメージに含まれない部分と、広告掲載領域に掲載される広告データとを合わせたイメージを仮のインクジェット用イメージとする。
【００５８】
次いで、ステップＳ５０では、画像差分抽出部２０４が、仮のインクジェット用イメージ（図１２(ａ)、図１２（ｂ））の差分を既存の画像比較ツールを用いて識別する。図１２（ａ）、図１２（ｂ）の仮のインクジェット用イメージの場合であれば、「北」と「南」、「ＣＤ北」と「ＥＦ南」の部分が差分として識別される。
【００５９】
次いで、ステップＳ５２では、画像差分抽出部２０４が、差分画像のみをインクジェット用イメージとし、同一画像部分はすべて輪転機用イメージに集約する。すなわち、複数の地域について同一でない印刷部分のみを抽出したインクジェット用イメージは、図１３（ａ）、図１３（ｂ）のようになり、印刷イメージから同一でない印刷部分を除いた輪転機用イメージは、図１３（ｃ）のようになる。なお、ステップＳ５２で得られた輪転機用イメージとインクジェット用イメージは、差分画像ＤＢ２３２に格納される。
【００６０】
以上のように、輪転機用イメージとインクジェット用イメージが作成されると、図８（ｂ）の画像差分抽出処理が終了する。
【００６１】
＜（５）ハイブリッド印刷情報作成処理＞
次に、ハイブリッド印刷情報作成部２０８によるハイブリッド印刷情報作成処理について、図１４のフローチャートに沿って、その他図面を参照しつつ詳細に説明する。なお、図１４の処理は、画像差分抽出部２０４によって図８（ｂ）の画像差分抽出処理が実行された後に実行される処理である。なお、本実施形態では、図１４の処理として、図６（ａ）に示す印刷工場「千葉西」に関する処理について説明する。なお、印刷工場「千葉西」で印刷するのは、千葉県内の３つの地域（千葉北部、千葉東部、千葉東葛）の紙面データが共通する新聞と、埼玉県内の２つの地域（埼玉南部、埼玉東部）の紙面データが共通する新聞である。また、千葉県内の３つの地域の紙面に掲載される広告は、それぞれ一部が異なっており、埼玉県内の２つの地域の紙面に掲載される広告は、一部が互いに異なっているものとする。
【００６２】
図１４の処理では、まずステップＳ６０において、ハイブリッド印刷情報作成部２０８が、発行部数ＤＢ２３６から印刷工場「千葉西」の地域別の発行部数を取り込む。具体的には、図６（ｂ）の発行部数ＤＢ２３６から、印刷工場「千葉西」に対応する各地域の発行部数（千葉北部＝５０００部、千葉東部＝４０００部、千葉東葛＝６０００部、埼玉南部＝７０００部、埼玉東部＝３５００部）を取り込む。
【００６３】
次いで、ステップＳ６２では、ハイブリッド印刷情報作成部２０８が、地域別の配送時間を発行部数ＤＢ２３６から読み込む。具体的には、図６（ｂ）の発行部数ＤＢ２３６から各地域への印刷工場「千葉西」からの配送時間（千葉北部＝１２０分、千葉東部＝４０分、千葉東葛＝２０分、埼玉南部＝３０分、埼玉東部＝１５分）を取り込む。
【００６４】
次いで、ステップＳ６４では、ハイブリッド印刷情報作成部２０８が、輪転機印刷リードタイムを読み込む。具体的には、ハイブリッド印刷情報作成部２０８は、図６（ａ）の印刷機情報ＤＢ２３４を参照し、輪転機リードタイム欄から印刷工場「千葉西」の各印刷ラインの輪転機リードタイムを取得する。図６（ａ）の場合、印刷ライン１＝３６分、印刷ライン２＝５０分が取得される。
【００６５】
次いで、ステップＳ６６では、ハイブリッド印刷情報作成部２０８が、輪転機印刷速度を読み込む。具体的には、ハイブリッド印刷情報作成部２０８は、図６（ａ）の印刷機情報ＤＢ２３４を参照し、輪転機印刷速度の欄から印刷工場「千葉西」の各印刷ラインにおける輪転機印刷速度を取得する。図６（ａ）の場合、印刷ライン１＝１２００（枚／分）、印刷ライン２＝１４００（枚／分）が取得される。
【００６６】
次いで、ステップＳ６８では、ハイブリッド印刷情報作成部２０８が、輪転機の刷版作成費用を読み込む。具体的には、ハイブリッド印刷情報作成部２０８は、図６（ａ）の印刷機情報ＤＢ２３４を参照し、刷版作成費用の欄から印刷工場「千葉西」の各印刷ラインにおける刷版作成費用を取得する。図６（ａ）の場合、印刷ライン１＝４００００円、印刷ライン２＝４００００円が取得される。
【００６７】
次いで、ステップＳ７０では、ハイブリッド印刷情報作成部２０８が、輪転機損紙費用を読み込む。具体的には、ハイブリッド印刷情報作成部２０８は、図６（ａ）の印刷機情報ＤＢ２３４を参照し、損紙費用の欄から印刷工場「千葉西」の各ラインにおける損紙費用を取得する。図６（ａ）の場合、印刷ライン１＝８０００円、印刷ライン２＝８０００円が取得される。
【００６８】
次いで、ステップＳ７２では、ハイブリッド印刷情報作成部２０８が、輪転機印刷単価を読み込む。具体的には、ハイブリッド印刷情報作成部２０８は、図６（ａ）の印刷機情報ＤＢ２３４を参照し、輪転機印刷単価の欄から印刷工場「千葉西」の各印刷ラインにおける輪転機印刷単価を取得する。図６（ａ）の場合、印刷ライン１＝０．１５（円／枚）、印刷ライン２＝０．０８（円／枚）が取得される。
【００６９】
ステップＳ７４では、ハイブリッド印刷情報作成部２０８が、インクジェット印刷速度を読み込む。具体的には、ハイブリッド印刷情報作成部２０８は、図６（ａ）の印刷機情報ＤＢ２３４を参照し、インクジェット印刷速度の欄から印刷工場「千葉西」の各印刷ラインにおけるインクジェット印刷速度を取得する。図６（ａ）の場合、印刷ライン１＝１２００（枚／分）、印刷ライン２＝１３００（枚／分）が取得される。
【００７０】
次いで、ステップＳ７６では、ハイブリッド印刷情報作成部２０８が、インクジェット印刷単価を読み込む。具体的には、ハイブリッド印刷情報作成部２０８は、図６（ａ）の印刷機情報ＤＢ２３４を参照し、インクジェット印刷単価の欄から印刷工場「千葉西」の各印刷ラインにおけるインクジェット印刷単価を取得する。図６（ａ）の場合、印刷ライン１＝０．２（円／枚）、印刷ライン２＝０．３（円／枚）が取得される。
【００７１】
次いで、ステップＳ８０では、ハイブリッド印刷情報作成部２０８が、印刷選定基準表の作成サブルーチンを実行する。このステップＳ８０の処理は、図１６、図１７（ａ）、図１７（ｂ）の印刷選定基準表を作成する処理であり、ハイブリッド印刷情報作成部２０８は、具体的には図１５のフローチャートに沿った処理を実行する。なお、本実施形態では、新聞１部が１０枚であるものとし、同一の地域に配送される新聞は、同一工場の同一ラインで同一の印刷方法（ハイブリッド、輪転機のみ、インクジェットのみのいずれか）にて印刷されるものとする。また、説明の便宜上、刷版の作成費用や交換時間、損紙費用などの費用や時間については、同一地域の新聞の全ページを印刷する場合に必要な費用や時間を意味しているものとする。
【００７２】
図１５の処理では、まず、ステップＳ１００において、ハイブリッド印刷情報作成部２０８が、印刷ライン及び地域別にハイブリッド印刷時の輪転機印刷時間を次式（１）に基づいて算出する。
輪転機印刷時間＝輪転機リードタイム
＋（発行部数×１部あたりの枚数／輪転機印刷速度）…（１）
【００７３】
なお、輪転機印刷時間は、図１８（ａ）に示すように、固定費である輪転機リードタイムと、印刷枚数に応じて大きくなる輪転機印刷時間（＝発行部数×１部あたりの枚数／輪転機印刷速度）との和で表される。
【００７４】
例えば、印刷工場「千葉西」の印刷ライン１においては、輪転機リードタイムが３６（分）、輪転機印刷速度が１２００（枚／分）である。したがって、地域「千葉北部」の発行部数５０００（部）を印刷ライン１において印刷する場合、輪転機印刷時間は、３６＋５０００×１０／１２００≒７８（分）と算出される（図１６の１行目のレコードの輪転機印刷時間（分）参照）。本ステップＳ１００では、ハイブリッド印刷情報作成部２０８は、各印刷ラインにおいて各地域の新聞を印刷した場合の輪転機印刷時間を上述のようにして算出する。そして、ハイブリッド印刷情報作成部２０８は、算出結果を図１６の印刷選定基準表（ハイブリッド印刷）の「輪転機印刷時間（分）」のフィールドに格納する。
【００７５】
次いで、ステップＳ１０２では、ハイブリッド印刷情報作成部２０８が、印刷ライン及び地域別にハイブリッド印刷時の輪転機印刷金額を次式（２）に基づいて算出する。
輪転機印刷金額＝刷版単価＋損紙費用
＋輪転機印刷単価×発行部数×１部あたりの枚数…（２）
【００７６】
なお、輪転機印刷金額は、図１８（ｂ）に示すように、固定費である刷版作成費用と、損紙費用と、印刷枚数に応じて大きくなる輪転機印刷費用との和で表される。
【００７７】
例えば、印刷工場「千葉西」の印刷ライン１のように、刷版単価が４００００（円）、損紙費用が８０００（円）、輪転機印刷単価が０．１５（円）、発行部数が５０００（部）であったとする。この場合、上式（２）より、輪転機印刷金額は４００００＋８０００＋０．１５×５０００×１０＝５５５００（円）となる（図１６の１行目のレコードの輪転機印刷金額（円）参照）。本ステップＳ１０２では、ハイブリッド印刷情報作成部２０８は、各ラインにおいて各地域の新聞を印刷した場合の輪転機印刷金額を上述のようにして算出する。そして、ハイブリッド印刷情報作成部２０８は、算出結果を図１６の印刷選定基準表（ハイブリッド印刷）の「輪転機印刷金額（円）」のフィールドに格納する。
【００７８】
次いで、ステップＳ１０４では、ハイブリッド印刷情報作成部２０８が、印刷ライン及び地域別のハイブリッド印刷時のインクジェット印刷時間を次式（３）に基づいて算出する。
インクジェット印刷時間＝発行部数×１部あたりの枚数
／（インクジェット印刷速度／差分画像の補正係数）
…（３）
【００７９】
なお、インクジェット印刷時間は、図１９（ａ）に示すように、印刷枚数に比例する。ここで、差分画像の補正係数は、インクジェット印刷速度及び印刷単価を算出する基準面積の何倍の面積を印刷するかを示す係数である。本実施形態では、一例として２．０であったものとする。
【００８０】
例えば、印刷工場「千葉西」の印刷ライン１においては、インクジェット印刷速度が１２００（枚／分）である。したがって、地域「千葉北部」の発行部数５０００（部）を当該ラインにおいて印刷する場合には、上式（３）より、インクジェット印刷時間は５０００×１０／（１２００／２．０）≒８３（分）と算出される（図１６の１行目のレコードのインクジェット印刷時間（分）参照）。本ステップＳ１０４では、ハイブリッド印刷情報作成部２０８は、各印刷ラインにおいて各地域の新聞を印刷した場合のインクジェット印刷時間を上述のようにして算出する。そして、ハイブリッド印刷情報作成部２０８は、算出結果を図１６の印刷選定基準表（ハイブリッド印刷）の「インクジェット印刷時間（分）」のフィールドに格納する。
【００８１】
次いで、ステップＳ１０６では、ハイブリッド印刷情報作成部２０８が、ハイブリッド印刷時の印刷ライン及び地域別のインクジェット印刷金額を次式（４）に基づいて算出する。
インクジェット印刷金額
＝（インクジェット印刷単価×差分画像の補正係数）
×発行部数×１部あたりの枚数        …（４）
【００８２】
なお、インクジェット印刷金額は、図１９（ｂ）に示すように、印刷枚数に比例する。
【００８３】
例えば、印刷工場「千葉西」の印刷ライン１においては、インクジェット印刷単価が０．２（円）である。したがって、地域「千葉北部」の発行部数５０００（部）を当該ラインにおいて印刷する場合には、上式（４）より、インクジェット印刷金額は０．２×２．０×５０００×１０＝２００００（円）となる（図１６の１行目のレコードのインクジェット印刷金額（円）参照）。本ステップＳ１０６では、ハイブリッド印刷情報作成部２０８は、各ラインにおいて各地域の新聞を印刷した場合のインクジェット印刷金額を上述のようにして算出する。そして、ハイブリッド印刷情報作成部２０８は、算出結果を図１６の印刷選定基準表（ハイブリッド印刷）の「インクジェット印刷金額（円）」のフィールドに格納する。
【００８４】
次いで、ステップＳ１０８では、ハイブリッド印刷情報作成部２０８が、ハイブリッド印刷時のトータルの印刷時間と印刷金額を算出する。この場合、ハイブリッド印刷情報作成部２０８は、例えば、図１６の１行目のレコードに示すように、輪転機印刷時間が７８分で、インクジェット印刷時間が８３分である。このように、輪転機印刷時間（輪転機リードタイムを除く）＜インクジェット印刷時間の場合、トータルの印刷時間は、輪転機リードタイム（３６分（図６（ａ）参照））と、インクジェット印刷時間の合計（３６＋８３＝１１９（分））となる。
【００８５】
また、ハイブリッド印刷情報作成部２０８は、トータルの印刷金額を、輪転機印刷金額（５５５００円）とインクジェット印刷金額（２００００円）の合計金額（７５５００円）とする。
【００８６】
本ステップＳ１０８では、ハイブリッド印刷情報作成部２０８は、各ラインにおいて各地域の新聞を印刷した場合のトータルの印刷時間と印刷金額を上述のようにして算出する。そして、ハイブリッド印刷情報作成部２０８は、算出結果を図１６の印刷選定基準表（ハイブリッド印刷）の「印刷時間」及び「印刷金額」のフィールドに格納する。
【００８７】
次いで、ステップＳ１１０では、ハイブリッド印刷情報作成部２０８が、輪転機のみを用いた場合の、印刷ライン及び地域別の輪転機印刷時間、印刷金額を算出する。なお、この場合の印刷時間及び印刷金額は、ステップＳ１００、Ｓ１０２と同様に算出される。ステップＳ１１０で算出された値は、図１７（ａ）に示す印刷選定基準表（輪転機のみ）に格納される。
【００８８】
次いで、ステップＳ１１２では、ハイブリッド印刷情報作成部２０８が、インクジェット印刷のみの場合の、印刷ライン及び地域別のインクジェット印刷時間、印刷金額を算出する。なお、本実施形態では、一例として、インクジェット印刷のみの場合、すなわちインクジェット印刷で紙面全体を印刷する場合には、インクジェット印刷時間が基準面積のインクジェット印刷時間の４倍必要であるとして試算している。また、インクジェット印刷のみの場合のインクジェット印刷金額は、基準面積のインクジェット印刷金額の６倍必要であるとして試算している。ステップＳ１１２で算出された値は、図１７（ｂ）に示す印刷選定基準表（インクジェットのみ）に格納される。
【００８９】
以上により、図１５の処理が終了すると、図１４のステップＳ８２に移行する。
【００９０】
図１４に戻り、ステップＳ８２に移行すると、ハイブリッド印刷情報作成部２０８は、印刷モードの選択を実行する。ここでは、ハイブリッド印刷情報作成部２０８は、予め新聞社の担当者等が入力したモード（通常モード（価格モード）又は高速モード（緊急モード））を選択する。
【００９１】
次いで、ステップＳ８４では、ハイブリッド印刷情報作成部２０８が、通常モード（価格モード）か否かを判断する。このステップＳ８４の判断が肯定された場合には、ステップＳ８６に移行し、ハイブリッド印刷情報作成部２０８は、通常モード（価格モード）のサブルーチン（図２０）を実行する。一方、ステップＳ８４の判断が否定された場合には、ステップＳ８８に移行し、ハイブリッド印刷情報作成部２０８が、高速モード（緊急モード）のサブルーチン（図２１）を実行する。
【００９２】
以下、通常モード（価格モード）のサブルーチンについて図２０に基づいて説明する。
【００９３】
図２０の処理では、まずステップＳ１２０において、ハイブリッド印刷情報作成部２０８は、印刷ライン単位に、ハイブリッド印刷（速度、金額）、輪転機のみ印刷（速度、金額）、インクジェット印刷（速度、金額）を比較テーブルに展開する。
【００９４】
具体的には、ハイブリッド印刷情報作成部２０８は、図１６の印刷選定基準表に基づいて、図２２、図２３に示すような比較テーブル（ハイブリッド印刷）に展開する。この場合、印刷ライン１で全ての地域の印刷を行う場合、印刷ライン１で４つの地域の印刷を行うとともに印刷ライン２で１つの地域の印刷を行う場合、…、印刷ライン２で全ての地域の印刷を行う場合、のように、各地域を各ラインに配分して、全ての配分について、印刷金額と印刷時間を展開する。このステップＳ１２０の処理により、図２２、図２３の展開テーブルにおいて、各印刷ライン及び各地域に対応して印刷金額と印刷時間が格納される。また、ハイブリッド印刷情報作成部２０８は、図１７（ａ）の印刷選定基準表に基づいて、図２４，図２５に示すような比較テーブル（輪転機のみ）に展開する。更に、ハイブリッド印刷情報作成部２０８は、図１７（ｂ）の印刷選定基準表に基づいて、図２６，図２７に示すような比較テーブル（インクジェットのみ）に展開する。
【００９５】
次いで、ステップＳ１２２では、ハイブリッド印刷情報作成部２０８は、ハイブリッド印刷の印刷ラインごとの合計金額を算出する。ここで、合計金額を算出する場合には、刷版の交換回数の削減数に応じて、各地域の合計金額から刷版作成費用と損紙費用を減じるものとする。すなわち、図２８（ａ）に示すような、刷版が１プレートで済む場合は、図２８（ｂ）に示すような刷版が３プレート必要な場合に比べ、刷版作成費用と損紙費用の合計金額の２倍だけ印刷金額を安くすることができる。例えば、図２２の左から１列目においては、５つの地域の新聞を印刷ライン１で印刷する場合を示しているが、本例では、千葉北部と千葉東部と千葉東葛は輪転機用イメージが同一であり、埼玉南部と埼玉東部は輪転機イメージが同一であるものとする。したがって、印刷ライン１では、千葉北部と千葉東部の間、千葉東部と千葉東葛との間、埼玉南部と埼玉東部との間の計３回、刷版の交換回数を削減することができている。
【００９６】
このため、ハイブリッド印刷情報作成部２０８は、図２２の１列目の印刷ライン１における合計金額を、７５５００＋７００００＋８１０００＋８６５００＋６７２５０−３×４８０００＝２３６２５０（円）と算出する。
【００９７】
同様に、ハイブリッド印刷情報作成部２０８は、例えば、図２３の左から１列目の印刷ライン１については、刷版交換を１回分削減できるので、合計金額を７５５００＋７００００−４８０００＝９７５００（円）と算出する。また、印刷ライン２については、刷版交換を１回分削減できるので、ハイブリッド印刷情報作成部２０８は、合計金額を８８８００＋９５６００＋７１８００−４８０００＝２０８２００（円）と算出する。その他についても同様である。
【００９８】
また、ステップＳ１２２においては、ハイブリッド印刷情報作成部２０８は、全ての印刷ラインの総合計金額を算出し、比較テーブルに格納する。例えば、図２３の左から１列目の場合、印刷ライン１の合計金額９７５００円と、印刷ライン２の合計金額２０８２００の和である３０５７００円が総合計金額として比較テーブルに格納される。
【００９９】
次いで、ステップＳ１２４では、ハイブリッド印刷情報作成部２０８は、ハイブリッド印刷の印刷ラインごとの合計時間を算出する。ここで、印刷ラインごとの合計時間を算出する場合には、刷版の交換回数の削減数に応じて、各地域の合計時間から輪転機リードタイムを減じるものとする。すなわち、図２９（ａ）のように刷版が１プレートで済む場合においては、図２９（ｂ）のように刷版が３プレート必要な場合に比べ、輪転機リードタイムの合計時間の２倍だけ印刷時間を削減することができる。例えば、図２２の左から１列目においては、前述したように、計３回分輪転機リードタイムを削減できるので、ハイブリッド印刷情報作成部２０８は、図２２の左から１列目の印刷ライン１における合計時間を、１１９＋１０３＋１３６＋１５３＋９４−３×３６＝４９７（分）と算出する。
【０１００】
同様に、ハイブリッド印刷情報作成部２０８は、例えば、図２３の左から１列目の印刷ライン１における合計時間を、１１９＋１０３−３６＝１８６（分）と算出する。また、ハイブリッド印刷情報作成部２０８は、印刷ライン２における合計時間を、１４２＋１５８＋１０４−５０＝３５４（分）と算出する。その他についても同様である。
【０１０１】
また、ステップＳ１２４においては、ハイブリッド印刷情報作成部２０８は、最大配送時間加算を算出する。具体的には、印刷ラインごとの合計時間に対し、各印刷ラインで印刷する地域の配送時間の中で最も長いものを加算する。なお、このようにして最大配送時間加算を算出するのは、印刷ラインごとに全ての地域の新聞を印刷した後に一斉に各地域に新聞を配送することを前提にしているためである。例えば、図２２の左から１列目の印刷ライン１においては、合計時間４９７（分）に対し、千葉北部の配送時間１２０（分）を加算して、最大配送時間加算として６１７（分）を得る。また、図２３の左から１列目の印刷ライン１においては、合計時間１８６（分）に対して、千葉北部の配送時間１２０（分）を加算して、最大配送時間加算として３０６（分）を得る。また、印刷ライン２においては、合計時間３５４（分）に対して、埼玉南部の配達時間３０（分）を加算して、最大配送時間加算として３８４（分）を得る。その他の列についても同様である。
【０１０２】
更に、ステップＳ１２４においては、ハイブリッド印刷情報作成部２０８は、配送までの時間を特定する。この場合、ハイブリッド印刷情報作成部２０８は、印刷ライン１，２のうち長いほうの時間を配送までの時間として特定し、比較テーブルに格納する。例えば、図２３の左から１列目においては、印刷ライン１の最大配送時間加算３０６（分）と印刷ライン２の最大配送時間加算３８４（分）のうち、長いほうの最大配送時間加算３８４（分）を配送までの時間として特定される。
【０１０３】
次いで、ステップＳ１２６では、ハイブリッド印刷情報作成部２０８は、輪転機のみを用いた印刷の合計金額、合計時間等を算出する。また、ハイブリッド印刷情報作成部２０８は、インクジェット印刷のみの場合の合計金額、合計時間等を算出する。この場合、ハイブリッド印刷情報作成部２０８は、輪転機のみを用いた印刷については、図２４、図２５の比較テーブル（輪転機のみ）を用いて、ステップＳ１２２及びＳ１２４と同様の計算を行う。また、ハイブリッド印刷情報作成部２０８は、インクジェット印刷については、図２６、図２７の比較テーブル（インクジェットのみ）を用いて、ステップＳ１２２及びＳ１２４と同様の計算を行う。
【０１０４】
次いで、ステップＳ１２８では、ハイブリッド印刷情報作成部２０８は、配送迄の時間の合計が制限内のものがあるか否かを判断する。図２２〜図２７においては、制限時間を５５０分とし、配送迄の時間が制限時間（５５０分）未満のものに「○」、制限時間以上のものに「×」を付している。図２２〜図２７においては、制限時間内のものがあるため、ステップＳ１２８の判断が肯定され、ハイブリッド印刷情報作成部２０８は、ステップＳ１３０に移行する。
【０１０５】
ステップＳ１３０に移行した場合、ハイブリッド印刷情報作成部２０８は、制限時間内の配分のうち、総合計金額が最小の配分を選定し、ＣＴＰ連携部２１２及びインクジェット連携部２１４に出力する。なお、図２２〜図２７においては、比較テーブルごとに、「最適箇所」の欄には、配送迄の時間が最小な配分に対して「時間最小」と格納されているとともに、総合計金額が最小な配分に対して「金額最小」と格納されている。
【０１０６】
ステップＳ１３０では、ハイブリッド印刷情報作成部２０８は、ハイブリッド印刷の総合計金額が最小な配分（図２２参照）と、輪転機のみの場合の総合計金額が最小な配分（図２５参照）と、インクジェットのみの場合の総合計金額が最小な配分（図２６参照）とを比較し、最も総合計金額が小さい配分を選定する。この場合、ハイブリッド印刷情報作成部２０８は、図２２の総合計金額が最小のハイブリッド印刷（印刷ライン１で千葉北部、千葉東部、千葉東葛を印刷し、印刷ライン２で埼玉南部、埼玉東部を印刷する配分）を選定する。ステップＳ１３０の後は、図２０の処理を終了するとともに、図１４の全処理を終了する。
【０１０７】
なお、ステップＳ１２８の判断が否定された場合には、ハイブリッド印刷情報作成部２０８は、ステップＳ１３２に移行する。ステップＳ１３２では、ハイブリッド印刷情報作成部２０８は、所定のルールに基づいて、少なくとも１つの地域（発行部数）を分割し、分割後の地域（発行部数）を用いて、これまでに説明した図１４の処理と同様の処理を実行する。
【０１０８】
一方、図１４のステップＳ８４の判断が否定された場合には、ステップＳ８８において、高速モード（緊急モード）の処理を実行する。具体的には、図２１のフローチャートに沿った処理を実行する。
【０１０９】
図２１の処理においては、図２０の処理のステップＳ１３０の処理に代えて、ステップＳ１３０’の処理を実行する。すなわち、ステップＳ１２８の判断が肯定された場合、ステップＳ１３０’に移行し、ハイブリッド印刷情報作成部２０８は、配送迄の時間が最小の配分を選定し、ＣＴＰ連携部２１２及びインクジェット連携部２１４に出力する。具体的には、ハイブリッド印刷情報作成部２０８は、ハイブリッド印刷の配送迄の時間が最小な配分（図２２参照）と、輪転機のみの場合の配送までの時間が最小な配分（図２４参照）と、インクジェットのみの場合の配送迄の時間が最小な配分（図２７参照）とを比較し、最も配送迄の時間が小さい配分を選定する。この場合、ハイブリッド印刷情報作成部２０８は、図２４の配送迄の時間が最小の輪転機のみを用いた印刷（印刷ライン１で千葉東葛、埼玉南部、埼玉東部を印刷し、印刷ライン２で千葉北部、千葉東部を印刷する場合）を選定する。
【０１１０】
なお、本実施形態では、図１５のステップＳ１００〜Ｓ１０８の処理及び図２０、図２１ステップＳ１２２〜Ｓ１２４の処理を含む処理が、ハイブリッド印刷における印刷金額算出アルゴリズム及び印刷時間算出アルゴリズムに相当する。また、図１５のステップＳ１１０の処理及び図２０、図２１のステップＳ１２６の処理を含む処理が、輪転機印刷における印刷金額算出アルゴリズム及び印刷時間算出アルゴリズムに相当する。また、図１５のステップＳ１１２の処理及び図２０、図２１のステップＳ１２６の処理を含む処理が、インクジェット印刷における印刷金額算出アルゴリズム及び印刷時間算出アルゴリズムに相当する。
【０１１１】
＜（６）ＣＴＰ連携処理＞
次に、図３０（ａ）に基づいて、ＣＴＰ連携部２１２によるＣＴＰ連携処理について説明する。なお、図３１には、図３０（ａ）、図３０（ｂ）の処理の一例が示されている。
【０１１２】
図３０（ａ）の処理では、まず、ステップＳ１４０において、ＣＴＰ連携部２１２は、輪転機用イメージを印刷工場２００のＣＴＰ１１０に送信する。この場合、ＣＴＰ連携部２１２は、ハイブリッド印刷情報作成部２０８が作成した、図３１の左上に示すような輪転機用イメージ（差分画像ＤＢ２３２に格納されている）をハイブリッド印刷情報作成部２０８から取得し、ＣＴＰ１１０に送信する。
【０１１３】
次いで、ステップＳ１４２では、ＣＴＰ連携部２１２が、印刷部数を輪転機１２０に送信する。図３１の例の場合、Ｆ新聞の北版の発行部数αとＦ新聞の南版の発行部数βの合計である（α＋β）部が輪転機１２０に送信される。なお、図２２の総合計金額が最小の配分（右端列）の例であれば、印刷ライン１の輪転機１２０に対して５０００＋４０００＋６０００＝１５０００（部）が印刷部数として送信される。また、印刷ライン２の輪転機１２０に対しては、７０００＋３５００＝１０５００（部）が印刷部数として送信される。
【０１１４】
以上のようにして、ステップＳ１４２の処理が終了すると、図３０（ａ）のＣＴＰ連携処理が終了する。
【０１１５】
＜（７）インクジェット連携処理＞
次に、図３０（ｂ）に基づいて、インクジェット連携部２１４によるインクジェット連携処理について説明する。
【０１１６】
図３０（ｂ）の処理では、まず、ステップＳ１５０において、インクジェット連携部２１４は、インクジェット用イメージを印刷工場２００のインクジェット印刷機１３０に送信する。この場合、インクジェット連携部２１４は、ハイブリッド印刷情報作成部２０８が作成した図３１の右上に示すようなインクジェット用イメージ（差分画像ＤＢ２３２に格納されている）をハイブリッド印刷情報作成部２０８から取得し、インクジェット印刷機１３０に送信する。
【０１１７】
次いで、ステップＳ１５２では、ＣＴＰ連携部２１２が、印刷部数をインクジェット印刷機１３０に送信する。図３１の例の場合、Ｆ新聞の北版の発行部数αとＦ新聞の南版の発行部数βがインクジェット印刷機１３０に送信される。また、図２２の金額最小の配分（右端列）の場合であれば、印刷ライン１のインクジェット印刷機１３０に対して千葉北部の５０００部、千葉東部の４０００部、千葉東葛の６０００部が印刷部数として送信される。また、印刷ライン２のインクジェット印刷機１３０に対しては、埼玉南部の７０００部、埼玉東部の３５００部が印刷部数として送信される。
【０１１８】
印刷工場２００においては、図３１に示すように、輪転機１２０及びインクジェット印刷機１３０によるハイブリッド印刷が実行されることで、図３１の下段に示すように、Ｆ新聞の北版がα部、Ｆ新聞の南版がβ部印刷される。また、図２２の金額最小の配分（右端列）の場合であれば、印刷ライン１において、千葉北部の５０００部、千葉東部の４０００部、千葉東葛の６０００部がハイブリッド印刷される。また、印刷ライン２において、埼玉南部の７０００部、埼玉東部の３５００部がハイブリッド印刷されることになる。
【０１１９】
以上の処理により、図３０（ｂ）のインクジェット連携処理が終了する。
【０１２０】
以上、詳細に説明したように、本実施形態によると、画像差分抽出部２０４は、図８（ｂ）の画像差分抽出処理において、複数の地域のそれぞれに対応する印刷イメージを比較し、複数の地域について同一でない部分（図１３（ａ）、図１３（ｂ））を特定する。そして、ハイブリッド印刷情報作成部２０８は、同一でない部分を含む新聞を印刷する地域について、輪転機のみ又はインクジェット印刷機のみで新聞全面を印刷する場合（図２４と図２５、又は図２６と図２７参照）と、共通部分について輪転機で印刷するとともに、同一でない部分をインクジェット印刷するハイブリッド印刷を実行する場合（図２２、図２３）とについて印刷金額（コスト）と印刷時間に関する評価を、各印刷方式に応じたアルゴリズムに基づいて実行し（Ｓ１２４，Ｓ１２６）、評価結果を出力する（Ｓ１３０）。これにより、本実施形態では、輪転機のみ、インクジェット印刷機のみ、又はハイブリッド印刷のいずれを実行すべきかを適切に評価することができる。また、印刷工場では、適切な評価に基づいて印刷が実行されるため、コストや時間を考慮した適切な印刷を行うことが可能となる。
【０１２１】
また、本実施形態では、輪転機印刷の金額を、刷版の作成費用や刷版の交換に伴う試し刷り費用（損紙費用）に基づいて算出し、時間を、刷版の交換や試し刷りに要する時間、新聞の配送時間に基づいて算出する。また、インクジェット印刷の金額を、印刷面積に基づいて算出し、時間を印刷面積や新聞の配送時間に基づいて算出する。これにより、各印刷方式の金額や時間を、印刷方式ごとの特徴を考慮して適切に算出することができる。
【０１２２】
なお、上記実施形態では、例えば印刷工場「千葉西」において、印刷ライン１ではハイブリッド印刷が可能である一方、印刷ライン２ではインクジェット印刷のみが可能である等の制約が存在する場合もある。このような場合には、制約に応じた比較テーブルを作成して、上記実施形態と同様の処理を行うこととすればよい。図３２、図３３には、印刷ライン１でハイブリッド印刷を実行し、印刷ライン２でインクジェット印刷を実行する場合の比較テーブルの例が示されている。図３２、図３３のような比較テーブルを用いることで、印刷ラインに制約がある場合にも、コストや時間を考慮して、適切な印刷を行うことが可能である。
【０１２３】
なお、上記実施形態では、図８（ｂ）の画像差分抽出処理において、新聞の１面（１ページ）ごとに印刷イメージを比較することとしたが、これに限られるものではない。例えば、刷版が新聞の見開きごとに作成される場合には、新聞の見開きごとに印刷イメージを比較するようにしてもよい。
【０１２４】
なお、上記実施形態では、説明の便宜上、各地域の新聞の全てのページを同一の印刷ラインで同一の印刷方式により印刷する場合について説明したが、これに限られるものではない。例えば、あるページについては他の地域と同一でない部分があるものの、別のページについては他の地域と同一でない部分がない場合もある。このような場合に、前者についてはハイブリッド印刷を実行し、後者については輪転機のみの印刷を実行するようにしてもよい。この場合、配送迄の時間については、全ページの印刷が完了するまでの時間を算出し、当該時間に配送時間を加算するようにしてもよい。
【０１２５】
なお、上記実施形態では、１つの印刷ラインで複数地域の新聞を印刷する場合、配送時間が長い地域から印刷を実行するようにしてもよい。この場合、長い配送時間を他の地域の印刷と重複させる（長い配送時間を他の地域の印刷時間によって隠す）ことができるため、図２２等に記載されている配送迄の時間を短縮することが可能となる。
【０１２６】
なお、上記実施形態では、印刷金額と印刷時間とを別々に計算する場合について説明したが、これに限られるものではない。例えば、所定の換算式を用いて印刷時間を印刷金額に換算し、換算後の印刷金額と実際の印刷金額との合計に基づいて、印刷方式や各印刷ラインへの地域の配分を決定するようにしてもよい。
【０１２７】
なお、上記実施形態では、新聞を印刷する場合について説明したが、これに限られるものではない。その他の印刷物、例えば広告や雑誌、名刺などを印刷する場合にも、上記実施形態と同様の評価を行うこととしてもよい。
【０１２８】
なお、上記の処理機能は、コンピュータによって実現することができる。その場合、処理装置が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体（ただし、搬送波は除く）に記録しておくことができる。
【０１２９】
プログラムを流通させる場合には、例えば、そのプログラムが記録されたＤＶＤ（Digital Versatile Disc）、ＣＤ−ＲＯＭ（Compact Disc Read Only Memory）などの可搬型記録媒体の形態で販売される。また、プログラムをサーバコンピュータの記憶装置に格納しておき、ネットワークを介して、サーバコンピュータから他のコンピュータにそのプログラムを転送することもできる。
【０１３０】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【０１３１】
上述した実施形態は本発明の好適な実施の例である。但し、これに限定されるものではなく、本発明の要旨を逸脱しない範囲内において種々変形実施可能である。
【０１３２】
なお、以上の実施形態の説明に関して、更に以下の付記を開示する。
（付記１）  複数の地域のそれぞれに対応する印刷データを比較し、前記複数の地域について同一でない印刷部分を特定し、
特定した前記印刷部分を含む印刷データに対応する地域について、特定した前記印刷部分を含んで第１の印刷方式を採用して印刷する場合と、特定した前記印刷部分を除く部分について前記第１の印刷方式を採用して印刷するとともに、特定した前記印刷部分を第２の印刷方式を採用して印刷する場合とについて印刷コスト及び／又は印刷時間に関する評価を、印刷方式に応じた印刷コスト算出アルゴリズム及び／又は印刷時間算出アルゴリズムに基づいて実行し、評価結果を出力する、
処理をコンピュータが実行することを特徴とする印刷方式評価方法。
（付記２）  前記第１の印刷方式は刷版印刷方式であり、前記第２の印刷方式はインクジェット印刷方式である、
ことを特徴とする付記１に記載の印刷方式評価方法。
（付記３）  前記第１の印刷方式の印刷コスト算出アルゴリズムは、刷版の作成費用及び刷版の交換に伴う試し刷り費用に基づいて印刷コストを算出するアルゴリズムであり、
前記第１の印刷方式の印刷時間算出アルゴリズムは、刷版の交換及び試し刷りに要する時間及び印刷物の配送時間に基づいて印刷時間を算出するアルゴリズムである、
ことを特徴とする付記２に記載の印刷方式評価方法。
（付記４）  前記第２の印刷方式の印刷コスト算出アルゴリズムは、印刷面積に基づいて印刷コストを算出するアルゴリズムであり、
前記第２の印刷方式の印刷時間算出アルゴリズムは、印刷面積及び印刷物の配送時間に基づいて印刷コストを算出するアルゴリズムである、
ことを特徴とする付記２又は３に記載の印刷方式評価方法。
（付記５）  前記印刷データは、新聞の１面又は新聞の見開きごとのデータであることを特徴とする付記１〜４のいずれかに記載の印刷方式評価方法。
（付記６）  複数の地域のそれぞれに対応する印刷データを比較し、前記複数の地域について同一でない印刷部分を特定し、
特定した前記印刷部分を含む印刷データに対応する地域について、特定した前記印刷部分を含んで第１の印刷方式を採用して印刷する場合と、特定した前記印刷部分を除く部分について前記第１の印刷方式を採用して印刷するとともに、特定した前記印刷部分を第２の印刷方式を採用して印刷する場合とについて印刷コスト及び／又は印刷時間に関する評価を、印刷方式に応じた印刷コスト算出アルゴリズム及び／又は印刷時間算出アルゴリズムに基づいて実行し、評価結果を出力する、
処理をコンピュータに実行させることを特徴とする印刷方式評価プログラム。
（付記７）  前記第１の印刷方式は刷版印刷方式であり、前記第２の印刷方式はインクジェット印刷方式である、
ことを特徴とする付記６に記載の印刷方式評価プログラム。
（付記８）  前記第１の印刷方式の印刷コスト算出アルゴリズムは、刷版の作成費用及び刷版の交換に伴う試し刷り費用に基づいて印刷コストを算出するアルゴリズムであり、
前記第１の印刷方式の印刷時間算出アルゴリズムは、刷版の交換及び試し刷りに要する時間及び印刷物の配送時間に基づいて印刷時間を算出するアルゴリズムである、
ことを特徴とする付記７に記載の印刷方式評価プログラム。
（付記９）  前記第２の印刷方式の印刷コスト算出アルゴリズムは、印刷面積に基づいて印刷コストを算出するアルゴリズムであり、
前記第２の印刷方式の印刷時間算出アルゴリズムは、印刷面積及び印刷物の配送時間に基づいて印刷コストを算出するアルゴリズムである、
ことを特徴とする付記７又は８に記載の印刷方式評価プログラム。
（付記１０）  前記印刷データは、新聞の１面又は新聞の見開きごとのデータであることを特徴とする付記６〜９のいずれかに記載の印刷方式評価プログラム。
（付記１１）  複数の地域のそれぞれに対応する印刷データを比較し、前記複数の地域について同一でない印刷部分を特定する特定部と、
特定した前記印刷部分を含む印刷データに対応する地域について、特定した前記印刷部分を含んで第１の印刷方式を採用して印刷する場合と、特定した前記印刷部分を除く部分について前記第１の印刷方式を採用して印刷するとともに、特定した前記印刷部分を第２の印刷方式を採用して印刷する場合とについて印刷コスト及び／又は印刷時間に関する評価を、印刷方式に応じた印刷コスト算出アルゴリズム及び／又は印刷時間算出アルゴリズムに基づいて実行し、評価結果を出力する処理部と、
を備える情報処理装置。
（付記１２）  前記第１の印刷方式は刷版印刷方式であり、前記第２の印刷方式はインクジェット印刷方式である、
ことを特徴とする付記１１に記載の情報処理装置。
（付記１３）  前記第１の印刷方式の印刷コスト算出アルゴリズムは、刷版の作成費用及び刷版の交換に伴う試し刷り費用に基づいて印刷コストを算出するアルゴリズムであり、
前記第１の印刷方式の印刷時間算出アルゴリズムは、刷版の交換及び試し刷りに要する時間及び印刷物の配送時間に基づいて印刷時間を算出するアルゴリズムである、
ことを特徴とする付記１２に記載の情報処理装置。
（付記１４）  前記第２の印刷方式の印刷コスト算出アルゴリズムは、印刷面積に基づいて印刷コストを算出するアルゴリズムであり、
前記第２の印刷方式の印刷時間算出アルゴリズムは、印刷面積及び印刷物の配送時間に基づいて印刷コストを算出するアルゴリズムである、
ことを特徴とする付記１２又は１３に記載の情報処理装置。
（付記１５）  前記印刷データは、新聞の１面又は新聞の見開きごとのデータであることを特徴とする付記１１〜１４のいずれかに記載の情報処理装置。
【符号の説明】
【０１３３】
２０  ハイブリッド印刷管理システム（情報処理装置）
２０４  画像差分抽出部（特定部）
２０８  ハイブリッド印刷情報作成部（処理部）
【図１】
0006586803.tif 000002
【図２】
0006586803.tif 000003
【図３】
0006586803.tif 000004
【図４】
0006586803.tif 000005
【図５】
0006586803.tif 000006
【図６】
0006586803.tif 000007
【図７】
0006586803.tif 000008
【図８】
0006586803.tif 000009
【図９】
0006586803.tif 000010
【図１０】
0006586803.tif 000011
【図１１】
0006586803.tif 000012
【図１２】
0006586803.tif 000013
【図１３】
0006586803.tif 000014
【図１４】
0006586803.tif 000015
【図１５】
0006586803.tif 000016
【図１６】
0006586803.tif 000017
【図１７】
0006586803.tif 000018
【図１８】
0006586803.tif 000019
【図１９】
0006586803.tif 000020
【図２０】
0006586803.tif 000021
【図２１】
0006586803.tif 000022
【図２２】
0006586803.tif 000023
【図２３】
0006586803.tif 000024
【図２４】
0006586803.tif 000025
【図２５】
0006586803.tif 000026
【図２６】
0006586803.tif 000027
【図２７】
0006586803.tif 000028
【図２８】
0006586803.tif 000029
【図２９】
0006586803.tif 000030
【図３０】
0006586803.tif 000031
【図３１】
0006586803.tif 000032
【図３２】
0006586803.tif 000033
【図３３】
0006586803.tif 000034